(57)【要約】【課題】回路図の特定の箇所とブレッドボードの上の特定の箇所との対応関係をわかり易く示すこと。【解決手段】  ブレッドボードの電子部品の端子を差し込む穴へ挿して固定することができる棒状の部分と、メモを記載することのできる面状の部分とを持つことを特徴とする、回路基板試作用の用具。【選択図】図１
2013243210.tif 000002
【特許請求の範囲】
【請求項１】
長さ３ミリメートル以上でありかつ直径1ミリメートル以下である、先端が針状ではない棒状の部材と、
表面が絶縁体でありかつ、面積1マイクロ平方メートル以上の広さの平坦な面を持つ部材と、
を有し、
前記の棒状の部材の一端に、前記の平坦な面を持つ部材が固定されている
ことを特徴とする回路試作用具。
【請求項２】
前記の平坦な面を持つ部材の、平坦な面の部分が、鉛筆で文字を書くことのできる程度にざらついている
ことを特徴とする、請求項１に記載の回路試作用具。
【発明の詳細な説明】
【技術分野】
【０００１】
本発明は、電子回路及び電気回路の設計製作を行うために用いられる用具に関する。
【背景技術】
【０００２】
従来、ソルダレスブレッドボードあるいは単にブレッドボードと呼ばれる、試作用の回路基板を用いて回路の試作を行う際、ブレッドボードのどの部分が、電気回路のどの個所に相当するかがわかりにくい場合があるという問題があった。
例えば、電子部品の間の配線を表現した回路図の中で、部品Ａの一番目の端子と部品Ｂの二番目の端子との間をつないでいる、配線上の箇所が、ブレッドボードの上ではどの位置にあるのかを、素早く把握することが難しい。
【０００３】
このため、従来では、まず部品Ａの当該の端子のブレッドボードの上での位置を特定してから、その端子が電気的に結線されている個所を順に追ってゆくことで、目的とする、ブレッドボードの上での位置を特定するという手順となっていた。あるいは、前記の手順以外では、回路を試作する途中で、後に参照する箇所に、ブレッドボードの上の空いたスペースに直接メモを書くことや、ブレッドボードの上での配線図を模した図を用意するなどの、ユーザ個々人の工夫がなされていた。
【０００４】
しかし、前記の順番を追って位置を特定する手順では、目的とする場所の特定に時間がかかるという問題がある。また、ブレッドボードの上の空いたスペースに直接メモを書くことは、ブレッドボードに凹凸があり、メモを書けるほどに広い面が無いために難しい場合が多いという問題がある。また、ブレッドボードの上での配線図を模した図を用意する方法では、前記の図と、ブレッドボードと、回路図の3つの間での対応関係を把握する必要があるため煩雑であるという問題がある。
【０００５】
特許文献１に示すように、ブレッドボード自体の構造を変更して、光の色によって電圧の降下状態を表現することで回路の構造を把握しやすくした物があるが、これは前記のように、回路図の特定の箇所とブレッドボードの上の特定の箇所との対応を示すものではない。よって、前記の問題を解決することはできない。
【先行技術文献】
【特許文献】
【０００６】
【特許文献１】特開２０１１―２８１９２号公報
【発明の概要】
【発明が解決しようとする課題】
【０００７】
解決しようとする課題は、回路図の特定の箇所とブレッドボードの上の特定の箇所との対応関係をわかり易く示すことである。
【課題を解決するための手段】
【０００８】
本発明は、ブレッドボードの電子部品の端子を差し込む穴へ挿して固定することができる棒状の部分と、メモを記載することのできる面状の部分とを持つことを特徴とする、回路基板試作用の用具である。
【発明の効果】
【０００９】
本発明の用具を用いれば、ブレッドボードの上の細かな個所へもメモを残すことができるため、回路図の上での配線の記号をブレッドボードの上に挿した当該の用具に記載することで、回路図とブレッドボードの上での位置との対応関係をわかり易く示すことができる。
【図面の簡単な説明】
【００１０】
【図１】本発明の斜視図（実施例１）
【図２】本発明の正面図（実施例１）
【図３】本発明の側面図（実施例１）
【図４】本発明の正面図（実施例２）
【図５】本発明の正面図（実施例３）
【符号の説明】
【００１１】
（１０１）棒状の部材、（１０２）平坦な面を持つ部材、（１０３）球状の部材、（１０４）旗状の部材、（１０５）花びら状の凹凸部
【発明を実施するための形態】
【実施例１】
【００１２】
図１から図３に本発明である回路試作用具の第一の実施例を示す。図１は当該の用具の斜視図、図２は当該の用具の正面図、図３は当該の用具の側面図を表わす。当該の用具は、ブレッドボードの電子部品の端子を挿す穴に挿すことのできる、長さ３ミリメートル以上でかつ直径１ミリメートル以下の棒状の部材１０１と、メモを記載することのできる、面積１マイクロ平方メートル以上の広さの平坦な面を持つ部材１０２からなる。棒状の部材１０１の一端には、平坦な面を持つ部材１０２が固定されている。これは請求項１に対応する。
【００１３】
棒状の部材１０１のもう一端は、人の指等を傷つけることの無いよう、針のように尖ってはいない形状である。
【００１４】
平坦な面を持つ部材１０２は絶縁性のある材料、例えば、非導電性のＡＢＳ樹脂等の材料で構成されている。これにより、ブレッドボード上の他の部品と接触しても、ユーザの意図しない箇所で電気的に導通することが無いようになっている。  
【００１５】
平坦な面を持つ部材１０２の表面は、鉛筆やシャープペンシルで文字や図形を書けるよう、適度なざらつきのある形状となっている。これは請求項２に対応する。また、文字や図形を書くための平坦な面は、当該の部材１０２が平板状の形状の場合に、その片面のみであってもよい。
【００１６】
平坦な面を持つ部材１０２は必ずしも平板状でなくともよく、例えば、全体として当該の用具が画鋲のような形状でもよい。
【００１７】
棒状の部材１０１はステンレスの棒材等の金属でできており、導電性がある。これにより、ブレッドボード用のテストピンとして、当該の用具を用いてもよい。
【００１８】
棒状の部材１０１は、金属等の導電性のある材料以外で構成してもよい。例えば、樹脂や木、竹等の非導電性の材料でもよい。
【実施例２】
【００１９】
図４に、本発明の第２の実施の形態を示す。当該の実施の形態では、実施の形態１と同様の棒状の部材１０１に、旗状の部材１０４と球状の部材１０３とが固定されている。
【００２０】
旗状の部材１０４は、実施の形態１で示した平坦な面を持つ部材１０２の場合と同様に、文字や図形を記入することのできる面積１マイクロ平方メートル以上の広さの平坦な部分を持つ。
【００２１】
球状の部材１０３は、当該の用具をブレッドボードから挿抜することを容易にするための突起である。球状の部材１０３や旗状の部材１０４は樹脂や紙などの非導電性の材料からなる。このように、より文字を書きやすくするために紙を棒に固定する形態をとってもよい。
【実施例３】
【００２２】
図５に、本発明の第３の実施の形態を示す。当該の実施の形態では、実施の形態１と同様の棒状の部材１０１に、花びら状の凹凸１０５のある部材が固定されている。実施の形態１と同様に、花びら状の凹凸１０５のある部材の平坦な面状の部分へ、文字や図形を書くことができる。
【図１】
2013243210.tif 000003
【図２】
2013243210.tif 000004
【図３】
2013243210.tif 000005
【図４】
2013243210.tif 000006
【図５】
2013243210.tif 000007